(57)【要約】【課題】捕獲された獣の都度の取り出しが不要な獣用囲い罠を提供する。【解決手段】罠内に、外部から獣を呼び寄せ、捕らえるための呼び寄せ広場２と、前記呼び寄せ広場２で捕らえた獣を保管する保管広場３と、外部と前記呼び寄せ広場２との連通、非連通を切換可能な第１ゲート５と、前記保管広場３から前記呼び寄せ広場２への獣の移動を規制する第２ゲート６とを備える。呼び寄せ広場２に獣が入り込んだ段階で第１ゲート５を閉じつつ第２ゲート６を開放しておき、保管広場３に獣が入った段階で第２ゲート６を閉めて第１ゲート５を開放することで、罠から獣を取り出すことなく、再度の罠の使用が可能となる。【選択図】図１
2019024423.tif 000002
【特許請求の範囲】
【請求項１】
罠内に、
外部から獣を呼び寄せ、捕らえるための呼び寄せ広場（２）と、
前記呼び寄せ広場（２）で捕らえた獣を保管する保管広場（３）と、
外部と前記呼び寄せ広場（２）との連通、非連通を切換可能な第１ゲート（５）と、
前記保管広場（３）から前記呼び寄せ広場（２）への獣の移動を規制する第２ゲート（６）とを備えることを特徴とする獣用囲い罠。
【請求項２】
前記呼び寄せ広場（２）から前記保管広場（３）へ獣を誘導する誘導手段（７）を備える、請求項１記載の獣用囲い罠。
【請求項３】
前記誘導手段（７）が超音波発生装置である、請求項２記載の獣用囲い罠。
【請求項４】
前記保管広場（３）に、罠から獣を取り出すための取り出し場（１０）が設けられ、
この取り出し場（１０）に餌場（１１）が設けられており、
前記取り出し場（１０）と他の部分との連通、非連通が第３ゲート（１２）によって切換可能とされている、請求項１〜３のいずれかに記載の獣用囲い罠。
【請求項５】
上記請求項１〜４のいずれかに記載の獣用囲い罠において、
前記呼び寄せ広場（２）に獣が入り込んだ段階で前記第１ゲート（５）を閉じつつ前記第２ゲート（６）を開放しておき、
前記保管広場（３）に獣が入った段階で前記第２ゲート（６）を閉めて前記第１ゲート（５）を開放することを特徴とする獣捕獲方法。
【発明の詳細な説明】
【技術分野】
【０００１】
この発明は、鹿や猪といった大型獣用の囲い罠及びそれを用いた獣捕獲方法に関する。
【背景技術】
【０００２】
鹿や猪等の獣を捕獲する方法のひとつとして囲い罠がある。囲い罠は、獣の入り口を確保した上で一定の範囲を柵などで囲うとともに、その内側に獣の好物を配置したものであって、獣が罠に入り込んだ時点で入り口を閉め、獣を捕獲するといったものである。この囲い罠は、通常、獣が走り回れる程度の広さを有しており、箱罠などに比べて獣に与えるストレスが少なく、また怪我もし難いため、良い状態での生け捕りが可能となる。また、複数頭を一度に捕獲できることから効率的な捕獲が可能であるといったメリットもある。
【先行技術文献】
【特許文献】
【０００３】
【特許文献１】特開２０１２−２４９５６６号公報
【発明の概要】
【発明が解決しようとする課題】
【０００４】
ただ、他の罠と同様、新たに獣を捕獲しようとすれば、罠に入っている獣を取り出さなければならず、運用に手間がかかる。特に、獣が走り回れる程度の広さを有していることから、複数人での追い込みが必要であり、作業時間も長くなり易い。また、囲い罠は、一度設置すると長期間に亘ってその場で運用するものであって、多くの人が罠の中やその周りで頻繁に且つ長時間作業すると、罠の周囲にいる獣が警戒してしまい、捕獲数が減る虞もある。
【０００５】
そこで本発明は、捕獲された獣の都度の取り出しが不要な獣用囲い罠及び獣捕獲方法の提供を目的とする。
【課題を解決するための手段】
【０００６】
本発明の獣用囲い罠は、罠内に、外部から獣を呼び寄せ、捕らえるための呼び寄せ広場２と、前記呼び寄せ広場２で捕らえた獣を保管する保管広場３と、外部と前記呼び寄せ広場２との連通、非連通を切換可能な第１ゲート５と、前記保管広場３から前記呼び寄せ広場２への獣の移動を規制する第２ゲート６とを備えることを特徴とする。
【０００７】
また、前記呼び寄せ広場２から前記保管広場３へ獣を誘導する誘導手段７を備えていても良い。この場合、誘導手段７が超音波発生装置であることが好ましい。
【０００８】
前記保管広場３に、罠から獣を取り出すための取り出し場１０が設けられ、この取り出し場１０に餌場１１が設けられており、前記取り出し場１０と他の部分との連通、非連通が第３ゲート１２によって切換可能とされても良い。
【０００９】
本発明の獣捕獲方法は、上記いずれかの獣用囲い罠において、前記呼び寄せ広場２に獣が入り込んだ段階で前記第１ゲート５を閉じつつ前記第２ゲート６を開放しておき、前記保管広場３に獣が入った段階で前記第２ゲート６を閉めて前記第１ゲート５を開放することを特徴とする。
【発明の効果】
【００１０】
本発明の獣用囲い罠によれば、捕獲された獣をその都度、罠から取り出さなくても良い。すなわち、呼び寄せ広場で捕らえられた獣を保管広場へと移動させれば、保管広場から呼び寄せ広場への獣の移動は第２ゲートによって規制されるため、第１ゲートを開放することができる。すなわち、罠から獣を取り出すことなく罠の再度の使用が可能となる。
【００１１】
また、呼び寄せ広場から保管広場へ獣を誘導する誘導手段を備えていれば、呼び寄せ広場から保管広場への獣の移動をスムーズに行うことができる。また、誘導手段が超音波発生装置であれば、保管広場への誘導を簡単に行うことができる。
【００１２】
保管広場に、獣を取り出すための取り出し場が設けられ、この取り出し場に餌場が設けられており、取り出し場が、第３ゲートによって他の部分との連通、非連通を切換可能とされていれば、獣を罠の外に取り出すにあたって、保管広場内で追い立てる必要が無くなる。すなわち、獣が餌に寄ってきた段階で第３ゲートを閉じることにより、効率的に獣を取り出すことができる。
【００１３】
本発明の獣捕獲方法によれば、呼び寄せ広場に獣が入り込んだ段階で第１ゲートを閉じつつ第２ゲートを開放しておき、保管広場に獣が入った段階で第２ゲートを閉めて第１ゲートを開放するため、獣を取り出すことなく再度の罠の使用が可能となる。すなわち、罠の連続使用が可能となる。
【図面の簡単な説明】
【００１４】
【図１】この発明の一実施形態に係る獣用囲い罠の概略平面図である。
【図２】別の獣用囲い罠の概略平面図である。
【図３】さらに別の獣用囲い罠の概略平面図である。
【発明を実施するための形態】
【００１５】
次に、この獣用囲い罠１の一実施形態を図面に基づいて詳細に説明する。本発明の獣用囲い罠１は、図１に示すように、仕切りＰで囲われた罠内に、外部（罠外）から獣を呼び寄せ、捕らえるための呼び寄せ広場２と、呼び寄せ広場２で捕らえた獣を保管する保管広場３と、呼び寄せ広場２と保管広場３とを接続する誘導路４とを備えている。また、この獣用囲い罠１は、外部と呼び寄せ広場２との連通、非連通を切換可能な第１ゲート５と、保管広場３から呼び寄せ広場２への獣の移動を規制する第２ゲート６とを備えている。そして、呼び寄せ広場２に獣が入り込んだ段階で第１ゲート５を閉じつつ第２ゲート６を開放しておき、獣が保管広場３に入った段階で第２ゲート６を閉めて第１ゲート５を開放することで、罠から獣を取り出すことなく、再度の罠の使用が可能となっている。以下、獣用囲い罠１の各構成部位について詳細に説明する。
【００１６】
呼び寄せ広場２は平面視略船型であって、船首（尖っている）側に誘導路４が接続され、船尾側に第１ゲート５が設けられている。呼び寄せ広場２の広さ（面積）は、鹿や猪等の比較的大型の獣が複数頭、自由に動き回ることができる程度、例えば幅が３ｍ以上、奥行きが５ｍ以上（面積１５ｍ２以上）とされている。
【００１７】
第１ゲート５は、例えば開閉を遠隔操作で行うことができる左右スライド式の扉を備えている。扉の遠隔操作の方法としては、有線、無線など公知の種々の方法を採用可能である。
【００１８】
呼び寄せ広場２には、保管広場３へ獣を誘導するための誘導手段７が設けられている。具体的には、獣が嫌う周波数の音を発する超音波発生装置が、第１ゲート５付近（誘導路４よりも第１ゲート５側）に２つ設置されている。この超音波発生装置についても、遠隔操作で超音波の発生のオン・オフが切り替えられるようになっている。
【００１９】
この他、呼び寄せ広場２には、呼び寄せ広場２内に人が出入りするための出入り口８が設けられている。また、第１ゲート５が設けられている仕切りＰの両端を延長するようにして、誘導仕切り９が設けられている。この誘導仕切り９は、障害物に沿って移動するといった獣の習性を利用して第１ゲート５に獣を導くためのものである。なお、誘導仕切り９の長さは例えば１０ｍ以上である。
【００２０】
上記構成の呼び寄せ広場２は、誘導路４を介して保管広場３と繋がっている。誘導路４は幅が例えば１〜２ｍとされており、呼び寄せ広場２の幅よりも狭くなっている。ただ、図１に示すように、呼び寄せ広場２は誘導路４に向かって窄んでおり、呼び寄せ広場２から誘導路４への誘導はスムーズに行えるようになっている。また、誘導路４の長さは例えば３ｍ以上とされている。このように呼び寄せ広場２と保管広場３との間に十分な長さの誘導路４を設けることで、誘導手段７を使って呼び寄せ広場２の獣を追い立てる場合でも、保管広場３内の獣に与えるストレスを少なくすることができる。
【００２１】
保管広場３は平面視、略四角形状である。その広さは、例えば幅が１０〜２０ｍ、奥行きが１０〜２０ｍ（面積１００〜４００ｍ２）と、呼び寄せ広場２よりも広い。そして、隅部に誘導路４が接続されており、誘導路４と保管広場３を隔てるようにして第２ゲート６が設けられている。この第２ゲート６についても、第１ゲート５と同様、例えば開閉を遠隔操作で行うことができる左右スライド式の扉を備えている。遠隔操作の方法としても、有線、無線など公知の種々の方法を採用可能である。
【００２２】
また、保管広場３には、誘導路４が接続された隅部と対角となる位置に、獣を取り出すための取り出し場１０が設けられている。取り出し場１０は、奥行きが例えば１．８ｍ程度と獣の動きが制限されるようになっている。また、面積も例えば６〜１０ｍ２と保管広場３全体に比べてかなり狭い。この取り出し場１０には屋根がかけられ、さらに餌場１１が設けられている。また、この取り出し場１０は、第３ゲート１２によって他の部分と連通、非連通が切り替えられるようになっている。なお、第３ゲート１２は開き戸である。さらに、取り出し場１０には獣を外部に取り出すための取り出し口１３が設けられ、取り出し場１０の付近には保管広場３に人が出入りするための出入り口１４が設けられている。
【００２３】
ところで、本発明の獣用囲い罠１は、呼び寄せ広場２や保管広場３、誘導路４の様子を確認したり、各ゲートを作動させるタイミングを図ったりするために、監視手段１５（カメラ）を備えている。カメラからの映像は、有線又は無線の通信回線を通じて遠隔地からでも確認できるようになっている。駆動源としては、太陽光発電パネルや風力発電機によって発電された電力を直接、または蓄電池に一度充電したものを使用する。但し、送電線等から電力を得てもよい。
【００２４】
呼び寄せ広場２や保管広場３、誘導路４を囲う仕切りＰや誘導仕切り９は、例えば、略等間隔に配置された支柱間に、網材、桟材、板材、シート材、ロープなどを掛け渡すことで構成された柵である。ただ、獣の逃げ出し（通り抜け）を防止できるものであれば、上記構成のものに限られず、例えば杭を近接して打ち込んだものや、レンガやブロックを適宜積み上げたような塀であっても良い。また、数種類を適宜組み合わせても良い。但し、強度を保ちつつ、カメラによる監視がし易い（死角が生じない）ように、金網を用いた柵とすることが好ましい。高さとしては例えば１．８ｍ〜３ｍが好ましい。
【００２５】
次に、上記構成の獣用囲い罠１の使用方法について説明する。
まず、第１ゲート５を開放するとともに、呼び寄せ広場２内に獣の誘引手段を配置する。誘引手段の配置は、人手によるものの他、自動化したもの（自動供給機）を用いても良い。誘引手段としては、米糠や野菜、人工飼料といった餌や、塩分、鉄分といった栄養分、飲み水等が挙げられる。また、合わせて誘導仕切り９に沿って誘引手段を配置しておいたり、草刈りを行って第１ゲート５に続く道を作っておいたりしても良い。
【００２６】
誘引手段を配置した後は、カメラや目視により獣の動きを観察する。そして呼び寄せ広場２に獣が入り込んだことを確認できた段階で第１ゲート５を閉める。ただ、あえて数日間は第１ゲート５を閉めず、馴致を十分に行うようにしても良い。この場合、多くの獣が呼び寄せ広場２内に入り込むようになり、効率的な捕獲が可能となる。次いで第２ゲート６を開放するとともに、超音波発生装置７から超音波を発し、獣を保管広場３側へと追い立てる。この際、既に保管広場３に獣がいる場合であっても、呼び寄せ広場２側から超音波が発せられているため、獣の呼び寄せ広場２側への移動を抑制することができる。すなわち、誘導手段７である超音波発生装置が移動規制手段としても機能するのである。
【００２７】
獣が第２ゲート６を通過したことを確認できた段階で、第２ゲート６を閉める。また、超音波発生装置から超音波を発するのを止める。そして、第１ゲート５を開放し、新たな獣の誘い込みを行う。
【００２８】
上記工程を複数回繰り返すことで、保管広場３に複数頭の獣を保管することができる。保管広場３にいる獣に対しては餌場１１で餌を与え、獣の馴致を促す。そして、必要に応じて取り出し口１３から罠の外部へと獣を取り出す。この際、餌によって獣を取り出し場１０へと導き、第３ゲート１２を閉めることで取り出し場１０内に獣を留めるようにすれば、獣を追い立てる必要がなく、簡単に且つ良い状態（怪我のない状態）で取り出すことができる。
【００２９】
このように、上記構成の獣用囲い罠１は、罠の内部を大きく２つの機能に分けている、具体的には、誘引手段を配置し、獣を罠内に呼び寄せ、捕らえる呼び寄せ広場２と、呼び寄せ広場２で捕らえた獣を保管する保管広場３とを設けているため、獣をその都度、罠から取り出す必要がない。そして、都度の取り出し作業が必要ないことから、取り出し作業を行い難い夜間でも連続的な捕獲が可能となり、効率的な運用が可能となる。例えば、従来の囲い罠では、夜間に獣を捕らえたとしても、取り出しは日中に行われるため、獣が活発に活動する夜間に１度しか使用することができない。
【００３０】
図２は別の獣用囲い罠１Ａを示したものである。この獣用囲い罠１Ａは、誘導手段７としての超音波発生装置が、第１ゲート５から誘導路４に向かって複数並べ置かれている点に特徴を有する。このように、超音波発生装置を複数並べておき、第１ゲート５に近い側から順に鳴らしていけば、獣を誘導路４に向けて的確に誘導することができる。
【００３１】
図３はさらに別の獣用囲い罠１Ｂを示している。この獣用囲い罠１Ｂは、保管広場３から呼び寄せ広場２側への獣の移動（戻り）を防止するための移動規制手段１６として、第２ゲート６よりも呼び寄せ広場２側に別途、ゲート（第４ゲート）を設け、呼び寄せ広場２と保管広場３との間に、２つのゲートに挟まれた空間（ゲート間空間）１７を設けている。このように、ゲート間空間１７を設けることで、閘門のように動作させることができ、保管広場３の獣が呼び寄せ広場２に移動するのを防止できる。すなわち、第４ゲートを開放しつつ第２ゲート６を閉じた状態とし、ゲート間空間１７に獣が入った時点で、第４ゲートを閉じつつ第２ゲート６を開放すれば、保管広場３からの獣の移動を防止しつつ呼び寄せ広場２から保管広場３へと獣を移動させることができる。
【００３２】
以上に、この発明の実施形態について説明したが、この発明は上記実施形態に限定されるものではなく、この発明の範囲内で種々変更して実施することが可能である。例えば、呼び寄せ広場２、保管広場３、誘導路４の形状や大きさ（幅、奥行き、面積）は地形や捕獲予定数等を考慮し、適宜変更可能である。また、１つの保管広場３に対して呼び寄せ広場２を複数設けても良い。この場合、複数の方向からの獣を捕獲することができ、より効率的な捕獲が可能となる。
【００３３】
また、各ゲート５、６、１２、１６は、カメラや赤外線センサといった監視手段１５による検出結果に基づいて自動で開閉するものであっても良いし、全て又は一部を手動で行うようにしても良い。また、左右スライド式（引き戸）に限らず、上下スライド式（落とし扉）や開き戸であっても良い。積雪の多い地域であれば、積雪の影響を受け難い落とし扉が有効である。ただ、左右スライド式は開閉時の作動音が小さく、獣にストレスを与え難いこと、すばやく且つ安定した開閉が可能であることから好ましい。また、第２ゲート６は、呼び寄せ広場２から保管広場３への通過は可能であるが、保管広場３から呼び寄せ広場２への通過ができない、いわゆるワンウェイゲートとしても良い。この場合、第２ゲート６を操作する必要が無く、省力化を図ることができる。また、第２ゲート６を設ける位置としては、誘導路４と保管広場３との境界に限らず、誘導路４内や誘導路４と呼び寄せ広場２との境界に設けても良い。
【００３４】
また、誘導手段７は、必ず呼び寄せ広場２に設けなければならないといったものではなく、呼び寄せ広場２の外（罠の外や保管広場３や誘導路４の中）に設けても良い。すなわち、外部から獣を誘導路４側（保管広場３側）へと追い立てることができるのであれば、必ずしも呼び寄せ広場２に設ける必要は無い。また、誘導手段７としては、超音波発生装置に限らず、可聴域の周波数の音を発することのできる音発生装置であっても良い。例えば、他の獣の鳴き声や警報音を発することでも誘導は可能である。さらに、発光器や無人航空機（ドローン）を用いても良い。また強制的な移動ではなく、保管広場３や誘導路４に誘引効果の高い餌や栄養剤等を配置し、自発的な移動を促すことも誘導手段７となる。
【符号の説明】
【００３５】
１、１Ａ、１Ｂ  獣用囲い罠
２  呼び寄せ広場
３  保管広場
４  誘導路
５  第１ゲート
６  第２ゲート
７  誘導手段（超音波発生装置）
８  出入り口（呼び寄せ広場）
９  誘導仕切り
１０  取り出し場
１１  餌場
１２  第３ゲート
１３  取り出し口
１４  出入り口（保管広場）
１５  監視手段（カメラ）
１６  移動規制手段（第４ゲート）
１７  ゲート間空間
Ｐ  仕切り
【図１】
2019024423.tif 000003
【図２】
2019024423.tif 000004
【図３】
2019024423.tif 000005